(57)【要約】【課題】光揮性顔料を含む塗膜の塗色の再現を正確かつ効率よく実現でき、しかも情報の更新が容易である色見本帳を提供する。【解決手段】複数の保持部２を有する１または複数のシート基材１と、保持部２に着脱自在に保持される複数の色票３と、を備えた色見本帳１０を提供する。複数の保持部２は、それぞれ色票３を保持可能である。色票３は、シート状の支持体の表面に、複数の塗膜が、スプレー塗装により領域を違えて形成されている。前記複数の塗膜は、同じ光揮性顔料を一定量含み、かつ背景色が互いに異なる。前記塗膜が形成された前記支持体の表面は、それぞれ、白色の素地部分と黒色の素地部分とを含む。【選択図】図１
2016191783.tif 000002
【特許請求の範囲】
【請求項１】
複数の保持部を有する１または複数のシート基材と、前記保持部に着脱自在に保持される複数の色票と、を備え、
前記複数の保持部は、それぞれ前記色票を保持可能であり、
前記色票は、シート状の支持体の表面に、複数の塗膜が、スプレー塗装により領域を違えて形成され、
前記複数の塗膜は、同じ光揮性顔料を一定量含み、かつ背景色が互いに異なり、
前記塗膜が形成された前記支持体の表面は、それぞれ、白色の素地部分と黒色の素地部分とを含むことを特徴とする色見本帳。
【請求項２】
前記保持部は、前記色票の少なくとも一部を収容可能なポケット状の構造を有する請求項１に記載の色見本帳。
【請求項３】
前記保持部または前記色票は、前記光揮性顔料に関する情報が記載された表示を有する請求項１または２に記載の色見本帳。
【請求項４】
前記支持体は、可撓性を有する請求項１〜３のうちいずれか１項に記載の色見本帳。
【請求項５】
前記色票は、前記光揮性顔料に関する情報が記録された記録媒体を備えている請求項１〜４のうちいずれか１項に記載の色見本帳。
【請求項６】
請求項１〜５のうちいずれか１項に記載の色見本帳を用いて、光揮性顔料を含む対象塗膜の塗色の再現が可能な塗料を調色する方法であって、
前記対象塗膜の光揮性顔料の種類を同定する工程と、前記対象塗膜の光揮性顔料の含有量を推定する工程と、を有し、
前記対象塗膜の光揮性顔料の種類を同定する工程では、前記対象塗膜と前記色票との光揮性顔料の形態を比較することによって、前記対象塗膜の光揮性顔料の種類を同定し、
前記対象塗膜の光揮性顔料の含有量を推定する工程では、前記対象塗膜と前記色票との光揮性顔料の見え方を比較することによって、前記対象塗膜の光揮性顔料の含有量を推定し、
前記光揮性顔料の種類を同定する工程と、前記光揮性顔料の含有量を推定する工程とで得られた結果に基づいて塗料の調色を行うことを特徴とする塗料の調色方法。
【請求項７】
請求項１〜５のうちいずれか１項に記載の色見本帳と、光揮性顔料を含む対象塗膜を有する対象色票と、を有することを特徴とする塗料の調色方法の学習用教材。
【発明の詳細な説明】
【技術分野】
【０００１】
本発明は、塗料の色見本帳、塗料の調色方法、および学習用教材に関する。
【背景技術】
【０００２】
自動車、建築などの分野においては、アルミフレーク、マイカフレーク等の光揮性顔料を含む塗料が用いられている。
塗料の分野では、配合未知の塗料の配合を推定してその塗色の再現を図ることが必要となることがある。そのため、色再現の対象となる塗膜（対象塗膜）と比較が可能な複数の色票を備えた色見本帳が用いられている。
色見本帳は、例えば、１または複数の台紙に、それぞれ複数の色票を貼り付けて構成されている。色票は、台紙の表面にバーコータ等によって塗膜が形成されたものである。
対象塗膜の塗色の再現を図るには、対象塗膜と色見本帳の色票とを比較しつつ、塗料の調色を行う。
【先行技術文献】
【特許文献】
【０００３】
【特許文献１】特開２００５−２５８０９９号公報
【発明の概要】
【発明が解決しようとする課題】
【０００４】
しかしながら、従来の色見本帳を用いた場合には、配合未知の塗料の塗色の再現を正確かつ効率よく行うのは難しかった。光揮性顔料を特定するために近似色検索が補完的に利用されることがあるが、この手法を用いても精度の高い光揮性顔料の同定はできず、正確な塗色の再現は容易でなかった。
また、従来の色見本帳には、色票の追加または削除に手間がかかるため情報の更新が滞りやすいという問題もあった。
本発明は、上記事情に鑑み、光揮性顔料を含む塗膜の塗色の再現を正確かつ効率よく実現でき、しかも情報の更新が容易である色見本帳、この色見本帳を用いた塗料の調色方法、およびこの塗料の調色方法を利用者に習得させるための学習用教材を提供することを目的とする。
【課題を解決するための手段】
【０００５】
本発明は、複数の保持部を有する１または複数のシート基材と、前記保持部に着脱自在に保持される複数の色票と、を備え、前記複数の保持部は、それぞれ前記色票を保持可能であり、前記色票は、シート状の支持体の表面に、複数の塗膜が、スプレー塗装により領域を違えて形成され、前記複数の塗膜は、同じ光揮性顔料を一定量含み、かつ背景色が互いに異なり、前記塗膜が形成された前記支持体の表面は、それぞれ、白色の素地部分と黒色の素地部分とを含む色見本帳を提供する。
前記保持部は、前記色票の少なくとも一部を収容可能なポケット状の構造を有することが好ましい。
前記保持部または前記色票は、前記光揮性顔料に関する情報が記載された表示を有する構成としてもよい。
前記支持体は、可撓性を有することが好ましい。
前記色票は、前記光揮性顔料に関する情報が記録された記録媒体を備えた構成としてもよい。
【０００６】
本発明は、前記色見本帳を用いて、光揮性顔料を含む対象塗膜の塗色の再現が可能な塗料を調色する方法であって、前記対象塗膜の光揮性顔料の種類を同定する工程と、前記対象塗膜の光揮性顔料の含有量を推定する工程と、を有し、前記対象塗膜の光揮性顔料の種類を同定する工程では、前記対象塗膜と前記色票との光揮性顔料の形態を比較することによって、前記対象塗膜の光揮性顔料の種類を同定し、前記対象塗膜の光揮性顔料の含有量を推定する工程では、前記対象塗膜と前記色票との光揮性顔料の見え方を比較することによって、前記対象塗膜の光揮性顔料の含有量を推定し、前記光揮性顔料の種類を同定する工程と、前記光揮性顔料の含有量を推定する工程とで得られた結果に基づいて塗料の調色を行う塗料の調色方法を提供する。
【０００７】
本発明は、前記色見本帳と、光揮性顔料を含む対象塗膜を有する対象色票と、を有する塗料の調色方法の学習用教材を提供する。
【発明の効果】
【０００８】
本発明によれば、色票の塗膜は、スプレー塗布法により形成されている。通常、自動車車体などに用いられている実用塗膜はスプレー塗布法により形成されているため、対象塗膜もスプレー塗布法により形成されていることが多い。そのため、色票の塗膜の光揮性顔料の状態（配向状態など）は、対象塗膜の光揮性顔料の状態に近くなる。よって、色票の塗膜と対象塗膜とを比較しやすくし、光揮性顔料の種類の同定および含有量の推定の精度を高めることができる。したがって、配合未知の対象塗膜の塗色の正確な再現を図ることができる。
【０００９】
本発明によれば、色票は、着色顔料が異なる複数の塗膜を有するため、光学的な条件が対象塗膜に近い塗膜を選択したうえで光揮性顔料の比較を行うことができる。よって、正確な光揮性顔料の種類の同定および含有量の推定が可能となる。したがって、正確な塗色の再現を図ることができる。
【００１０】
本発明では、色票が保持部に着脱可能であるため、対象塗膜との比較のために色票をシート基材から取り出しまたは戻す作業を効率よく行うことができる。よって、塗料の調色作業の効率を高めることができる。
【００１１】
本発明によれば、色票が保持部に着脱可能であるため、台紙に複数の色票を固定した構造の従来の色見本帳に比べ、色票の追加および削除が容易である。そのため、情報の更新が滞るのを回避できる。例えば、新たな塗料が開発されれば直ちにその情報を色見本帳に追加できる。また、製造中止となることなどにより不要となった塗料に関する情報を直ちに削除できる。よって、最新の情報を反映させ、色見本帳としての実効性を高めることができる。
【図面の簡単な説明】
【００１２】
【図１】本発明の色見本帳の一実施形態を示す模式図である。
【図２】（Ａ）図１の色見本帳に用いられる色票を示す平面図である。（Ｂ）は色票に用いられる支持体を示す平面図である。
【図３】図１の色見本帳の一部を模式的に示す斜視図である。
【図４】図１の色見本帳の他の例の一部を模式的に示す斜視図である。
【図５】前図の色見本帳の一部を示す平面図である。
【図６】色票の他の例を示す図であり、（Ａ）は前面を示す平面図、（Ａ）は後面を示す平面図である。
【図７】色票の他の例を示す図であり、（Ａ）は前面を示す平面図、（Ｂ）は後面を示す平面図である。
【図８】本発明の学習用教材の一実施形態を示す模式図である。
【発明を実施するための形態】
【００１３】
以下、好適な実施形態に基づき、図面を参照して本発明を説明する。
図１は、本発明の色見本帳の一実施形態である色見本帳１０を示す模式図である。図２は、図１の色見本帳１０に用いられる色票３を示す平面図である。図３は、色見本帳１０の一部を模式的に示す斜視図である。
以下、図１における左右方向を幅方向といい、上下方向を高さ方向ということがある。ここでいう方向は色見本帳の使用時の向きを限定しない。
【００１４】
［色見本帳］
図１に示すように、色見本帳１０は、複数のシート基材１と、シート基材１の保持部２に出し入れ自在に保持される複数の色票３と、シート基材１を保持する表紙体９とを備えている。
シート基材１は、例えば紙、合成樹脂などからなるシート状の基材本体４と、基材本体４の表面に重ねあわされた複数の保持シート５と、を備えている。
【００１５】
保持シート５は、例えば平面視矩形（図１では長方形）とされ、長さ方向を基材本体４の幅方向に向けて基材本体４の表面に設けられている。
複数の保持シート５は、基材本体４の高さ方向に間隔をおいて設けられている。図１では、３つの保持シート５が基材本体４の高さ方向に間隔をおいて設けられている。
【００１６】
保持シート５は、透明であると、保持部２内の色票３が視認できるため好ましい。保持シート５は、合成樹脂などからなる。
保持シート５は、ポケット状の保持部２を形成するように基材本体４の表面に接着されている。詳しくは、保持シート５は、下縁区画部６と、一対の側縁区画部７，７と、１または複数の中間区画部８,８とにおいて基材本体４の表面に接着されている。
下縁区画部６は、保持シート５の下縁部に、幅方向に沿って形成された接着部分である。
側縁区画部７，７は、保持シート５の両方の側縁に、それぞれ高さ方向に沿って形成された接着部分である。
【００１７】
中間区画部８，８は、側縁区画部７，７から幅方向に離れた位置に形成された接着部分であり、基材本体４と保持シート５との間の空間を複数に区画している。中間区画部８，８は、互いに幅方向に離れた位置に、高さ方向に沿って形成されている。
下縁区画部６、側縁区画部７および中間区画部８における、保持シート５と基材本体４との接着構造は特に限定されず、熱溶着による接着でもよいし、接着剤による接着でもよい。
【００１８】
側縁区画部７と中間区画部８と下縁区画部６とによって区画された構造、および、隣り合う中間区画部８，８と下縁区画部６とによって区画された構造は、色票３の一部を収容可能な保持部２となっている。
保持部２は、両側部が側縁区画部７または中間区画部８で区画され、下部が下縁区画部６で区画され、上部が開放された、ポケット状の構造を有する。そのため、上部開口２ａを通して内部空間（基材本体４と保持シート５との間の空間）に色票３を出し入れすることができる。保持部２は、例えば平面視において矩形とすることができる。図１では、保持部２の平面視形状は、長手方向を上下方向に向けた長方形である。
【００１９】
保持部２は、それぞれ１つの色票３を保持可能である。保持部２は、色票３の一部を収容できるため、色票３の塗膜の劣化、損傷、汚れ付着などを防ぐことができる。なお、保持部２は、重ねた状態の複数の色票３を収容することもできる。
【００２０】
図１では、１つの保持シート５あたり２つの中間区画部８,８が形成されているため、１つの保持シート５あたり３つの保持部２が左右に並んで形成されている。シート基材１の一方の面には、上下に並ぶ３つの保持シート５が設けられているため、合計９つの保持部２が３行×３列のマトリクス状に配列して設けられている。なお、保持部２の行数および列数は１でもよいし、２以上の任意の数でもよい。
【００２１】
保持部２の幅寸法、すなわち、側縁区画部７と中間区画部８との幅方向の距離Ｗ１、および、中間区画部８，８の間の幅方向の距離Ｗ２は、色票３の寸法に合わせて設定することができる。
距離Ｗ１，Ｗ２は、保持部２への色票３の出し入れがしやすく、かつ色票３を安定に保持することができる距離とされる。距離Ｗ１，Ｗ２は、例えば、色票３の短手方向の寸法（幅Ｗ３）よりやや大きい程度であることが好ましい。距離Ｗ１，Ｗ２は互いに等しいことが望ましい。
【００２２】
保持シート５の上縁５ａと下縁区画部６との距離Ｈ１は、色票３の長手方向の寸法（長さＬ１）より小さいことが望ましい。これによって、保持部２に保持された色票３の上部が露出するため、保持部２への出し入れの際に色票３の上部を把持しやすくなる。
距離Ｈ１は、色票３の長さＬ１と同じまたはこれより大きくてもよい。これによって、色票３の全体を保持部２に収容できるため、色票３の塗膜の劣化、損傷、汚れ付着などを防ぐことができる。
【００２３】
表紙体９は、表表紙９ａと、背表紙９ｂと、裏表紙９ｃとを備えている。背表紙９ｂの内面には、例えばリング体などの綴じ具（図示略）を介してシート基材１が綴じ込まれている。
【００２４】
［色票］
次に、色票３について説明する。図２（Ａ）は色票３を示す平面図である。図２（Ｂ）は色票３に用いられる支持体１１の平面図である。
図２（Ａ）に示すように、色票３は、シート状の支持体１１の表面に、複数の塗膜１２ａ〜１２ｄが領域を違えて形成されている。
【００２５】
図２（Ｂ）に示すように、支持体１１は、紙、合成樹脂などからなり、その平面視形状は、例えば矩形（この図では長方形）とすることができる。
支持体１１は、例えば白黒隠蔽紙（白黒隠蔽シート）である。支持体１１の表面は、第１〜第４塗膜形成領域１１ａ〜１１ｄと、上部表示部１３と、側部表示部１４とを有する。支持体１１としては、ＪＩＳ Ｋ  ５６００に規定された白黒隠蔽紙を使用できる。
【００２６】
第１〜第４塗膜形成領域１１ａ〜１１ｄはそれぞれ長手方向を支持体１１の短手方向に向けた長方形である。塗膜形成領域１１ａ〜１１ｄは、支持体１１の長手方向にこの順に並んで配置されている。
【００２７】
塗膜形成領域１１ａ〜１１ｄは、それぞれ白色の素地部分１５ａ（白素地部分１５ａ）と黒色の素地部分１５ｂ（黒素地部分１５ｂ）とを有する。
詳しくは、第１塗膜形成領域１１ａの長手方向の中央に位置する境界１５ｃの一方側（図２（Ｂ）では左側）が白素地部分１５ａであり、境界１５ｃの他方側（図２（Ｂ）では右側）が黒素地部分１５ｂである。第２〜第４塗膜形成領域１１ｂ〜１１ｄも、同様に、境界１５ｃの一方側（左側）が白素地部分１５ａであり、境界１５ｃの他方側（右側）が黒素地部分１５ｂである。
白素地部分１５ａおよび黒素地部分１５ｂは、印刷などにより支持体１１の表面に形成することができる。
【００２８】
上部表示部１３は、支持体１１の一端部であって第１塗膜形成領域１１ａの上側に隣接した箇所に確保されている。上部表示部１３には、塗膜１２ａ〜１２ｄに用いた光揮性顔料の名称などを記載することができる。
側部表示部１４は、白素地部分１５ａの外側（左側）に隣接した箇所と、黒素地部分１５ｂの外側（右側）に隣接した箇所とに確保されている。側部表示部１４には、対応する塗膜形成領域の塗膜に用いた着色顔料の名称などを記載することができる。
【００２９】
支持体１１は可撓性を有することが望ましい。可撓性を有する支持体１１を使用すれば、容易に色票３に厚さ方向の曲げを加えることができる。色票３に曲げを加えた状態とすれば、塗膜１２ａ〜１２ｄを多方向から観察するのが容易となる。
光揮性顔料を含む塗膜は観察方向によって外観が変化しやすいため、複数の方向から塗膜１２ａ〜１２ｄを観察することによって、対象塗膜との比較が容易となる。
【００３０】
図２（Ａ）に示すように、第１〜第４塗膜形成領域１１ａ〜１１ｄには、それぞれ塗膜が形成されている。これらの塗膜をそれぞれ第１〜第４塗膜１２ａ〜１２ｄという。
第１〜第４塗膜１２ａ〜１２ｄは、同じ光揮性顔料を一定量含み、かつ背景色が互いに異なる。
背景色は、着色顔料によって表れる色である。着色顔料は、通常、特定波長域の光を吸収するため、光揮性顔料の発色は、着色顔料に吸収されなかった領域の波長の光に応じて決まる。
【００３１】
着色顔料としては、例えば、カーボンブラック、黒鉛、松煙などの黒色顔料；シアニンブルー、インダスレンブルーなどの青色顔料；アゾ系、キナクリドン系、ベンガラなどの赤色顔料；チタン白、亜鉛華などの白色顔料；シアニングリーン、緑青などの緑色顔料；チタンイエロー、黄鉛、黄色酸化鉄などの黄色顔料などがある。
【００３２】
以下、第１塗膜１２ａは着色顔料を含まない塗膜とし、第２塗膜１２ｂは黒色顔料を含む塗膜とし、第３塗膜１２ｃは青色顔料を含む塗膜とし、第４塗膜１２ｄは赤色顔料を含む塗膜とした場合を例として、色票３の構成を説明する場合がある。
この例では、塗膜１２ａ〜１２ｄは着色顔料が互いに異なる。詳しくは、第１塗膜１２ａは着色顔料が含まれていない点で塗膜１２ｂ〜１２ｄと異なる。第２〜第４塗膜１２ｂ〜１２ｄは着色顔料の種類が互いに異なる。
【００３３】
塗膜１２ａ〜１２ｄの厚さは、実用塗膜の厚さに合わせて設定することができる。
実用塗膜とは、例えば、乗用車、トラック、オートバイ、バスなどの自動車車体の外板部；自動車部品；携帯電話、オーディオ機器などの家庭電気製品の外板部などに用いられる塗膜である。
塗膜１２ａ〜１２ｄの厚さは、例えば、５〜３０μｍ（好ましくは１０〜２０μｍ）とすることができる。
塗膜１２ａ〜１２ｄの厚さは、実用塗膜の厚さに近いため、対象塗膜との比較が容易である。
【００３４】
塗膜１２ａ〜１２ｄに含まれる光揮性顔料は、４つの塗膜１２ａ〜１２ｄに共通である。光揮性顔料の含有量（濃度）は塗膜１２ａ〜１２ｄで互いに同じである。光揮性顔料の含有量は、例えば基材樹脂１００質量部に対して例えば１〜１０質量部である。
光揮性顔料は、１つの色票３あたり１種類であることが望ましいが、複数種類であってもよい。
【００３５】
光輝性顔料としては、例えば、アルミニウム、銅、亜鉛、真ちゅう、ニッケル、酸化アルミニウム（アルミナ）、雲母、ガラスフレーク、ホログラム顔料等を挙げることができる。酸化アルミニウム、雲母は、酸化チタン、酸化鉄などで被覆されていてもよい。これらは単独で用いてもよいし、２以上を併用してもよい。
【００３６】
光揮性顔料の具体例としては、例えば、Ａ）干渉シルバー、Ｂ）干渉ゴールド、Ｃ）干渉レッド、Ｄ）干渉バイオレット、Ｅ）干渉ブルー、Ｆ）干渉グリーン、Ｇ）着色グレー、Ｈ）着色ゴールド、Ｉ）着色カッパー／ブロンズ、Ｊ）着色レッド、Ｋ）着色レッド緑、Ｌ）着色グリーン、Ｍ）着色ブルー、Ｎ）着色イエロー、Ｏ）黒紫、Ｐ）ガラスフレーク、Ｑ）その他、Ｒ）アルミフレークなどがある。以下、これらについて簡単に説明する。
【００３７】
Ａ）干渉シルバーは、透明な薄片基材（例えば白雲母、合成金雲母、アルミナ）に酸化チタンをコーティングしたものである。酸化チタンの膜厚が一定でないため、酸化チタンによって光の３原色である赤、緑、青を干渉させる。そのため、全体としてシルバー（白）の発色となる。顕微鏡観察においては、１つの光揮性顔料の中に赤、緑、青に発色する部分をまだらに含む。
着色顔料を含まない第１塗膜１２ａでは、光揮性顔料は白素地部分１５ａでも黒素地部分１５ｂでも白く輝いて見える。
光揮性顔料の形状については、基材が雲母（マイカ）であるものは、マイカの劈開性により、周縁が鋭い鋸歯状（ギザギザ形状）となった不定形を有する。基材がアルミナであるものは、周縁が滑らかな、銀杏の葉状の形状となる。
【００３８】
Ｂ）干渉ゴールドは、透明な薄片基材（例えば白雲母、合成金雲母、アルミナ）に酸化チタンを一定の厚みでコーティングしたもので、白色光のうち黄色の波長の光のみを強く干渉させるため、干渉光は黄色（またはゴールド）に発色する。
第１塗膜１２ａでは、黒素地部分１５ｂでゴールドに発色する。白素地部分１５ａでは、白色光から、干渉した黄色の波長成分を除いた青の発色となる。
顕微鏡観察においては、１つの光揮性顔料の中にオレンジからゴールドに発色する部分をまだらに含む。光揮性顔料の形状についてはＡ）干渉シルバーと同様である。
【００３９】
Ｃ）干渉レッドは、透明な薄片基材（例えば白雲母、合成金雲母、アルミナ）に酸化チタンを一定の厚みでコーティングしたもので、白色光のうち、赤の波長の光のみを強く干渉させるため、干渉光が赤に発色する。
第１塗膜１２ａでは、黒素地部分１５ｂで赤に発色する。白素地部分１５ａでは、白色光から、干渉した赤の波長成分を除いた青緑の発色となる。
顕微鏡観察においては、１つの光揮性顔料の中に赤から赤紫に光っている部分をまだらに含む。光揮性顔料の形状についてはＡ）干渉シルバーと同様である。
【００４０】
Ｄ）干渉バイオレットは、透明な薄片基材（例えば白雲母、合成金雲母、アルミナ）に酸化チタンを一定の厚みでコーティングしたもので、白色光のうち、紫（青と赤の成分）の波長の光のみを強く干渉させるため、干渉光が紫に発色する。
第１塗膜１２ａでは、黒素地部分１５ｂで紫に発色する。白素地部分１５ａでは、白色光から、干渉した紫の波長成分を除いた緑の発色となる。
顕微鏡観察においては、１つの光揮性顔料の中に青味の赤から紫に発色する部分をまだらに含む。光揮性顔料の形状についてはＡ）干渉シルバーと同様である。
【００４１】
Ｅ）干渉ブルーは、透明な薄片基材（例えば白雲母、合成金雲母、アルミナ）に酸化チタンを一定の厚みでコーティングしたもので、白色光のうち、青の波長の光のみを強く干渉させるため、干渉光が青に発色する。第１塗膜１２ａでは、黒素地部分１５ｂでは青に発色し、白素地部分１５ａでは、白色光から、干渉した青の波長成分を除いた黄色の発色となる。
顕微鏡観察においては、１つの光揮性顔料の中に紫から青に発色する部分をまだらに含む。光揮性顔料の形状についてはＡ）干渉シルバーと同様である。
【００４２】
Ｆ）干渉グリーンは、透明な薄片基材（例えば白雲母、合成金雲母、アルミナ）に酸化チタンを一定の厚みでコーティングしたものであり、白色光のうち、緑の波長の光のみを強く干渉させるため、干渉光が緑に発色する。第１塗膜１２ａでは、黒素地部分１５ｂでは緑に発色し、白素地部分１５ａでは、白色光から、干渉した緑の波長成分を除いた赤紫の発色となる。
顕微鏡観察においては、１つの光揮性顔料の中に黄緑から緑に発色する部分をまだらに含む。光揮性顔料の形状についてはＡ）干渉シルバーと同様である。
【００４３】
Ｇ）着色グレーは、透明な薄片基材（例えば白雲母、合成金雲母、アルミナ）に酸化チタンを一定の厚みでコーティングして干渉シルバーを作製し、それを還元して酸化チタンの次数を２よりも小さくしたものであり、その色は次数が小さいほど暗い色になる。第１塗膜１２ａでは、白素地部分１５ａおよび黒素地部分１５ｂでグレーに発色する。
顕微鏡観察においては、１つの光揮性顔料の中に赤、緑、青に発色する部分をまだらに含む。Ａ）干渉シルバーに比べて彩度は低くなっている。光揮性顔料の形状についてはＡ）干渉シルバーと同様である。
【００４４】
Ｈ）着色ゴールドは、２つのタイプがある。第１のタイプは、透明な薄片基材（例えば白雲母、合成金雲母、アルミナ）に酸化鉄を所定の膜厚でコーティングしたもので、酸化鉄の色としてゴールドに発色する。
第１塗膜１２ａでは、白素地部分１５ａおよび黒素地部分１５ｂでゴールドに発色する。
顕微鏡観察においては、１つの光揮性顔料の中にオレンジから黄色に光っている部分をまだらに含む。光揮性顔料の形状についてはＡ）干渉シルバーと同様である。
第２のタイプは、アルミフレークの上に酸化鉄を所定の膜厚でコーティングしたもので、酸化鉄の色としてゴールドに発色する。
第１塗膜１２ａでは、白素地部分１５ａおよび黒素地部分１５ｂでゴールドに発色する。
顕微鏡観察においては、１つの光揮性顔料が全面均一にゴールドに光る。アルミフレークを基材としているため、形状は、周縁が滑らかな凹凸を有する形状（ギザギザ形状）となっている。
【００４５】
Ｉ）着色カッパー／ブロンズは、２つのタイプがある。第１のタイプは、透明な薄片基材（例えば白雲母、合成金雲母、アルミナ）に酸化鉄をＨ）着色ゴールドよりも厚くコーティングしたもので、酸化鉄の色として銅色に発色する。
第１塗膜１２ａでは、白素地部分１５ａおよび黒素地部分１５ｂで銅色に発色する。
顕微鏡観察においては、１つの光揮性顔料の中にオレンジから赤みのオレンジに光っている部分をまだらに含む。光揮性顔料の形状についてはＡ）干渉シルバーと同様である。
第２のタイプは、アルミフレークの上に酸化鉄をＨ）着色ゴールドよりも厚くコーティングしたもので、酸化鉄の色として銅色に発色する。
第１塗膜１２ａでは、白素地部分１５ａおよび黒素地部分１５ｂで銅色に発色する。
顕微鏡観察においては、１つの光揮性顔料が全面均一に銅色に光る。アルミフレークを基材としているため、形状は、周縁が滑らかな凹凸を有する形状（ギザギザ形状）となっている。
【００４６】
Ｊ）着色レッドは、２つのタイプがある。第１のタイプは、透明な薄片基材（例えば白雲母、合成金雲母、アルミナ）に酸化鉄をＩ）着色カッパー／ブロンズよりも厚くコーティングしたもので、酸化鉄の色として赤色に発色する。第１塗膜１２ａでは、白素地部分１５ａおよび黒素地部分１５ｂで赤に発色する。
顕微鏡観察においては、１つの光揮性顔料の中に赤みのオレンジから赤を呈する部分をまだらに含む。光揮性顔料の形状についてはＡ）干渉シルバーと同様である。
第２のタイプは、アルミフレークの上に酸化鉄をＩ）着色カッパー／ブロンズよりも厚くコーティングしたもので、酸化鉄の色として赤色に発色する。第１塗膜１２ａでは、白素地部分１５ａおよび黒素地部分１５ｂで銅色に発色する。
顕微鏡観察においては、１つの光揮性顔料は全体に均一に銅色を呈する。アルミフレークを基材としているため、形状は、周縁が滑らかな凹凸を有する形状（ギザギザ形状）となっている。
【００４７】
Ｋ）着色レッド緑は、透明な薄片基材（例えば白雲母、合成金雲母、アルミナ）に酸化鉄を一定の膜厚で均一コーティングしたもので、緑色の干渉光が発色する。
第１塗膜１２ａでは、黒素地部分１５ｂでは緑に発色し、白素地部分１５ａでは白色光から緑成分を除いた赤紫に発色する。
顕微鏡観察においては、１つの光揮性顔料の中に緑に光っている部分と赤く光っている点とをまだらに含む。光揮性顔料の形状についてはＡ）干渉シルバーと同様である。
【００４８】
Ｌ）着色グリーンは、２つのタイプがある。第１のタイプは、透明な薄片基材（例えば白雲母、合成金雲母、アルミナ）に酸化コバルト、酸化クロム、フタロシアニングリーン顔料などをコーティングしたもので、酸化物の色や顔料の色として緑を呈する。第１塗膜１２ａでは、白素地部分１５ａおよび黒素地部分１５ｂで緑に発色する。
顕微鏡観察においては、１つの光揮性顔料は全体に均一に緑色を呈する。光揮性顔料の形状についてはＡ）干渉シルバーと同様である。
第２のタイプは、アルミフレークの上にフタロシアニングリーン顔料などをコーティングしたものである。第１塗膜１２ａでは、白素地部分１５ａおよび黒素地部分１５ｂで緑に発色する。
顕微鏡観察においては、１つの光揮性顔料は全体に均一に緑色を呈する。アルミフレークを基材としているため、形状は、周縁が滑らかな凹凸を有する形状（ギザギザ形状）となっている。
【００４９】
Ｍ）着色ブルーは２つのタイプがある。第１のタイプは、透明な薄片基材（例えば白雲母、合成金雲母、アルミナ）に酸化コバルト、酸化クロム、フタロシアニンブルー顔料などをコーティングしたもので、酸化物の色や顔料の色として青を呈する。
第１塗膜１２ａでは、白素地部分１５ａおよび黒素地部分１５ｂで青に発色する。
顕微鏡観察においては、１つの光揮性顔料は全体に均一に青色を呈する。光揮性顔料の形状についてはＡ）干渉シルバーと同様である。
第２のタイプは、アルミフレークの上にフタロシアニンブルー顔料などをコーティングしたものである。第１塗膜１２ａでは、白素地部分１５ａおよび黒素地部分１５ｂで青に発色する。
顕微鏡観察においては、１つの光揮性顔料は全体に均一に青色を呈する。アルミフレークを基材としているため、形状は、周縁が滑らかな凹凸を有する形状（ギザギザ形状）となっている。
【００５０】
Ｎ）着色イエローは２つのタイプがある。第１のタイプは、透明な薄片基材（例えば白雲母、合成金雲母、アルミナ）に酸化ニッケルをコーティングしたもので、酸化物の色や顔料の色として黄色を呈する。
顕微鏡観察においては、１つの光揮性顔料は全体にオレンジから黄色のいずれかの色を呈する。光揮性顔料の形状についてはＡ）干渉シルバーと同様である。
第１塗膜１２ａでは、白素地部分１５ａおよび黒素地部分１５ｂで黄色に発色する。
第２のタイプは、アルミフレークの上に無機の黄色顔料をコーティングしたものである。第１塗膜１２ａでは、白素地部分１５ａおよび黒素地部分１５ｂで黄色に発色する。
顕微鏡観察においては、１つの光揮性顔料は全体に均一に緑色を呈する。アルミフレークを基材としているため、形状は、周縁が滑らかな凹凸を有する形状（ギザギザ形状）となっている。
【００５１】
Ｏ）黒紫は、基材が板状酸化鉄である色材で、基材の厚みが増えるに従って赤紫から黒色を呈する。
第１塗膜１２ａでは、白素地部分１５ａおよび黒素地部分１５ｂで赤紫から黒色を呈する。
顕微鏡観察においては、１つ１つの光揮性顔料において赤紫から黒のうち１色が均一に見られる。形状は、基材の結晶成長により得られるため正六角形である。厚みがあるため、光揮性顔料の縁に黒く影ができることがある。
【００５２】
Ｐ）ガラスフレーク基材は、ガラスからなる色材であり、ガラスの薄片を粉砕して基材を作製し、その上に銀メッキや酸化チタンでコーティングしたものである。市販されているものは平均粒径が３０ミクロン以上と大きい。
第１塗膜１２ａでは、白素地部分１５ａおよび黒素地部分１５ｂでほぼ同一の色を呈する。
顕微鏡観察においては、１つ１つの光揮性顔料はガラスを割った時に発生するような曲率が緩やかな鋭い鎌状である。
【００５３】
Ｑ）その他は、Ａ）〜Ｐ）までに含まれない光揮性顔料であり、例えば、有機マイクロビーズのように光学的な意匠性を期待するものではなく、手触りの風合いを出す色材を示す。
【００５４】
Ｒ）アルミフレークは、基材がアルミフレークのものである。アトマイズ粉をスチールボールミルで粉砕したものであり、アルミの優れた展性により、楕円状に延ばされ、厚みは０．６ミクロン程度と薄い。
第１塗膜１２ａでは、白素地部分１５ａおよび黒素地部分１５ｂでほぼ同一の色を呈する。
顕微鏡観察においては、１つ１つの光揮性顔料は高輝度に銀白色に輝いている。形状は、周縁が滑らかな凹凸を有する形状（ギザギザ形状）となっている。
【００５５】
塗膜１２ａ〜１２ｄに関して、光揮性顔料の形態（形状、色彩、粒径等）に関する情報と、観察像の画像データとを予めデータベース化しておくのが好ましい。観察像の画像データは、例えばＪＰＥＧ、ＴＩＦＦ、ＰＩＣＴ、ＥＰＳ等の形式としてよい。
光揮性顔料の観察像のデータは、その光揮性顔料の形態に関する情報を検索用キーワードとして使用できるようにデータベース化されることが望ましい。
【００５６】
塗膜１２ａ〜１２ｄの観察には、例えば、光学顕微鏡、例えば、ＣＣＤカメラを有する画像計測装置が使用できる。観察像の拡大倍率は、例えば１００〜５０００倍とすることができる。
観察像より、光揮性顔料の形態を把握する。形態とは、例えば、形状、色彩、大きさ（粒径）のうち１または２以上である（上述の光揮性顔料の具体例を参照）。
形状については全体形状（例えば略円板状、棒状、不定形など）、周縁形状（例えば鋸歯状）などを把握する。
色彩については、１つの光揮性顔料の色が全体に均一である場合はその色を把握する。色が異なる複数領域を有する場合は各領域の色および分布などを把握する。
大きさ（粒径）については、例えば、観察像をモニターに目盛付きで表示し、表示された画像に基づいて平均的な粒径を把握することができる。画像処理により平均粒径を算出してもよい。
なお、光揮性顔料の平均粒径は、例えば、粒度分布測定器（独Ｍａｌｖｅｒｎパーティクルアナライザー２６００）で得られたＤ５０の値に基づいて定めることができる。
【００５７】
［色票の保持位置］
色見本帳１０における色票３の保持位置（収容位置）については、特に限定されないが、光揮性顔料の性質に基づいて色票３を分類し、この分類に従って、色票３の位置を定めてもよい。
光揮性顔料の性質とは、例えば、光揮性顔料の基材の種類（雲母、酸化アルミニウム、ガラスなど）、光揮性顔料の形態（形状、色彩、大きさ（粒径）等）、光揮性顔料の発色タイプなどである。発色タイプとは、例えば、光揮性顔料が干渉光を発するもの（干渉タイプ）、光揮性顔料に着色したもの（着色タイプ）などである。例えば、光揮性顔料の基材の種類ごとにシート基材１を分けて色票３の位置を定めることができる。
このように、光揮性顔料の性質に基づいて色見本帳１０における色票３の位置が定められていれば、後述する塗料の調色において光揮性顔料の種類を同定する際に、目的とする色票３を探すのが容易になる。
【００５８】
また、色票３の分類に基づいて、シート基材１にインデックス（表示）を付してもよい。例えば、色票３を分類ごとにシート基材１を分けて保持部２に保持し、その分類に基づくインデックス（表示）をシート基材１に付してもよい。
これにより、インデックス（表示）によって光揮性顔料の性質を容易に把握できるため、目的とする色票３を探すのがさらに容易になる。
【００５９】
同じ分類に属する複数の色票３の並び順については、他の性質に基づいて定めることができる。例えば、光揮性顔料の基材が白雲母である分類に属する複数の色票３の並び順を、光揮性顔料の色彩を指標として定めることができる。これにより、１つの分類に属する色票３の数が多い場合でも、目的とする色票３を探すのが容易になる。
【００６０】
［色票の作製方法］
支持体１１の塗膜形成領域１１ａ〜１１ｄに、スプレー塗布法（吹付け塗布法）を用いて、それぞれ塗膜１２ａ〜１２ｄを形成することによって、色票３を作製することができる。
「スプレー塗布法」とは、塗料を霧化して被塗装物に塗装する方法であり、例えばスプレーガンを用いることができる。スプレー塗布法には、例えば、塗料を圧縮空気によって霧化させて噴射するエアスプレー塗装を採用してもよいし、高圧をかけた塗料を空気中に吐出する際に、空気との衝突により塗料を霧化させて噴射するエアレススプレー塗装を採用してもよい。
【００６１】
［塗料の調色方法］
以下、色見本帳１０を用いて塗料を調色する場合を例として、本発明の塗料の調色方法の一実施形態を説明する。
この例の調色方法は、光揮性顔料を含む対象塗膜の塗色を再現できる塗料を調色する方法である。
【００６２】
（１）光揮性顔料の種類の同定（第１工程）
本工程では、次に示す手順に従って、対象塗膜の光揮性顔料の種類を同定する。
【００６３】
（１−１）対象塗膜を観察し、光揮性顔料の形態（形状、色彩、粒径等）を把握する。
対象塗膜の観察には、例えば、光学顕微鏡、例えば、ＣＣＤカメラを有する画像計測装置が使用できる。観察像の拡大倍率は、例えば１００〜５０００倍とすることができる。
観察像より、光揮性顔料の形態を把握する。形態とは、例えば、形状、色彩、大きさ（粒径）のうち１または２以上である（上述の光揮性顔料の具体例を参照）。
形状については全体形状（略円板状、棒状、不定形など）、周縁形状（例えば鋸歯状）などを把握する。
色彩については、１つの光揮性顔料の色が全体に均一である場合はその色を把握する。色が異なる複数領域を有する場合は各領域の色および分布などを把握する。
大きさ（粒径）については、例えば、観察像をモニターに目盛付きで表示し、表示された画像に基づいて平均的な粒径を把握することができる。画像処理により平均粒径を算出してもよい。
【００６４】
対象塗膜の光揮性顔料について得られた情報（観察像の画像データ、および光揮性顔料の形態）は、データベース化するのが好ましい。
【００６５】
（１−２）複数の色票から、光揮性顔料の形態が対象塗膜の光揮性顔料の形態と同一または類似であるものを選択する。
対象塗膜の光揮性顔料の形態（形状、色彩、大きさ（粒径）等）と、色票３の光揮性顔料の形態とを対比する。
例えば、顕微鏡による対象塗膜の観察像を第１のモニターに表示するとともに、顕微鏡による色票３の塗膜１２ａ〜１２ｄの観察像を第２のモニターに表示し、これら２つの画像を目視で見比べることにより、光揮性顔料の形態を比較する。
【００６６】
色票３は、色見本帳１０から取り出して対象塗膜との比較に供する。この際、必要に応じて色見本帳１０の他の色票３と交換し、より適した色票３を選択することができる。
色見本帳１０は、色票３を保持部２に出し入れ可能であるため、色票３を取り出して対象塗膜と対比することができる。そのため、台紙から色票を分離できない構造の色見本帳に比べ、色票３を対象塗膜と対比する作業、および色票３を戻して別の色票３と対比する作業が容易である。よって、色票３の塗膜１２ａ〜１２ｄと対象塗膜とを比較検討して最適な色票３を選択する作業を効率よく行うことができる。
【００６７】
対象塗膜の光揮性顔料と色票３の光揮性顔料との形態が同一または類似と判断された場合には、その色票３を選択する。
２つの光揮性顔料の形態が同一または類似であるか否かについては、形態の各要素（形状、色彩、大きさ（粒径）等）を指標として判断することができる。
【００６８】
形状については、２つの光揮性顔料の形状の共通点と差異点とを認定した上、それらを個別に評価する。
例えば、２つの光揮性顔料が、いずれも周縁が鋭い鋸歯状（ギザギザ形状）となった形状であれば、それら２つの光揮性顔料は形状に関して互いに同一または類似であると判断できる可能性がある。一方、２つの光揮性顔料の特徴的な形状が互いに異なれば、それら２つの光揮性顔料は形状に関して非類似と判断できる可能性がある。
【００６９】
色彩については、２つの光揮性顔料の色彩の共通点と差異点とを認定した上、それらを個別に評価する。
例えば、２つの光揮性顔料がいずれも赤、緑、青に発色する部分をまだらに含む場合は、それら２つの光揮性顔料は色彩に関して互いに同一または類似であると判断できる可能性がある。一方、２つの光揮性顔料の特徴的な色彩が互いに異なれば、それら２つの光揮性顔料は色彩に関して非類似と判断できる可能性がある。
【００７０】
大きさ（粒径）については、２つの光揮性顔料の平均粒径が互いに異なる場合でも、２つの平均粒径の差が、大きい方の平均粒径の１０％以下であれば、それら２つの光揮性顔料は大きさに関して互いに同一または類似であると判断できる可能性がある。一方、２つの光揮性顔料の平均粒径の差が前記範囲を越える場合には、それら２つの光揮性顔料は大きさ（粒径）に関して非類似と判断できる可能性がある。
【００７１】
複数の指標（形状、色彩、大きさ（粒径）等）のうち、同一または類似と判断できる指標の数が多ければ、それだけ２つの光揮性顔料の形態が同一または類似であると判断しやすい。
【００７２】
色票３の光揮性顔料の観察像等がデータベース化されている場合には、光揮性顔料の形態に関する情報を検索用キーワードとして、光揮性顔料の形態が同一または類似である色票３を抽出することができる。これによって、作業効率を高めることができる。
【００７３】
（１−３）選択した色票の複数の塗膜のうち、比較対象とするべき塗膜を選択する。
色票３の４つの塗膜１２ａ〜１２ｄから、対象塗膜に対する比較対象とするのに最も適した塗膜を選択する。
比較対象の塗膜を選択する際には、次の(i)〜(iv)に示すように、併存する着色顔料の光学特性が光揮性顔料の発色に与える影響を考慮に入れる必要がある。
【００７４】
(i)着色顔料を含まない第１塗膜１２ａでは、光揮性顔料は着色顔料の影響のない光による発色となる。
(ii)黒色顔料を含む第２塗膜１２ｂでは、黒色顔料が広い波長域の光を吸収するため、光揮性顔料は弱い光による発色となる。
(iii)青色顔料を含む第３塗膜１２ｃでは、青色顔料が長波長域の光を吸収するため、光揮性顔料は短波長領域を主とする光による発色となる。
(iv)赤色顔料を含む第４塗膜１２ｄでは、赤色顔料が短波長域の光を吸収するため、光揮性顔料は長波長領域を主とする光による発色となる。
【００７５】
(i)〜(iv)を考慮しつつ、光学的に近い条件で比較できる塗膜を塗膜１２ａ〜１２ｄから選択する。
例えば、対象塗膜が着色顔料を含まない場合には、着色顔料を含まない第１塗膜１２ａの光学的条件は、他の塗膜に比べて対象塗膜の光学的条件に近いと考えられる。そのため、光揮性顔料どうしの比較をするうえで、第１塗膜１２ａは最も適していると考えられる。よって、第１塗膜１２ａを選択するのが好ましい。
対象塗膜が黒色顔料を多く含む場合には、黒色顔料を含む第２塗膜１２ｂが、最も対象塗膜と比較しやすいと考えられるため、第２塗膜１２ｂを選択するのが好ましい。
対象塗膜が青色顔料を多く含む場合には、青色顔料を含む第３塗膜１２ｃが、最も対象塗膜と比較しやすいと考えられるため、第３塗膜１２ｃを選択するのが好ましい。
対象塗膜が赤色顔料を多く含む場合には、赤色顔料を含む第４塗膜１２ｄが、最も対象塗膜と比較しやすいと考えられるため、第４塗膜１２ｄを選択するのが好ましい。
【００７６】
色票３は、着色顔料が異なる複数の塗膜１２ａ〜１２ｄを有するため、塗膜１２ａ〜１２ｄから光学的な条件が対象塗膜に近い塗膜を選択したうえで光揮性顔料の比較を行うことができるという利点がある。
【００７７】
（１−４）対象塗膜の光揮性顔料の形態を、選択した塗膜の光揮性顔料の形態と比較することによって、対象塗膜の光揮性顔料の種類を同定する。
対象塗膜の光揮性顔料の形態を、（１−３）工程で選択した塗膜（以下、選択塗膜という）の光揮性顔料の形態と比較する。
これらを比較するにあたっては、（１−２）工程と同様に、対象塗膜の観察像を第１のモニターに表示するとともに、選択塗膜の観察像を第２のモニターに表示し、これら２つの画像を目視で見比べる。
これによって、対象塗膜の光揮性顔料の形態と、選択塗膜の光揮性顔料の形態とが同一か否かを判断し、同一であると判断される場合には、対象塗膜の光揮性顔料は選択塗膜の光揮性顔料と同じであるとして、対象塗膜の光揮性顔料の種類を特定できる。
【００７８】
２つの光揮性顔料の形態が同一であるか否かについては、（１−２）工程で採用した手法に基づいて、形態の各要素（形状、色彩、大きさ（粒径）等）を指標として比較を行うことにより判断することができる。
対象塗膜に光揮性顔料が複数種類用いられている場合には、同様の手法により、それら複数の光揮性顔料の種類を同定する。
【００７９】
上述のように、色票３の塗膜１２ａ〜１２ｄは、スプレー塗布法により形成されている。実用塗膜はスプレー塗布法により形成されており、対象塗膜は実用塗膜に近い特性を有することが多い。そのため、塗膜１２ａ〜１２ｄの光揮性顔料の状態（配向状態など）は、対象塗膜の光揮性顔料の状態に近い。よって、光揮性顔料の種類の同定の精度を高めることができる。
また、色票３の塗膜１２ａ〜１２ｄの厚さは、通常、自動車車体などに用いられている実用塗膜の厚さに近い。対象塗膜は実用塗膜に近い特性を有することが多いため、塗膜１２ａ〜１２ｄは、光学的に近い条件下で対象塗膜と比較することができる。よって、光揮性顔料の種類の同定の精度を高めることができる。
【００８０】
（２）光揮性顔料の含有量の推定（第２工程）
本工程では、次に示す手順に従って、対象塗膜の光揮性顔料の含有量を推定する。
【００８１】
（２−１）対象塗膜の観察像に基づいて、視認できる光揮性顔料の単位面積あたりの数を把握する。
視認できる光揮性顔料の単位面積あたりの数は、モニターに目盛付きで表示された対象塗膜の観察像に基づいて把握することができる。すなわち、モニターの表示画像において、所定の領域内の光揮性顔料を計数することによって、光揮性顔料の単位面積当たりの数を把握できる。
光揮性顔料は、塗膜表面からの深さ方向の距離が増すほど視認しにくくなるため、視認できる光揮性顔料の単位面積あたりの数は、塗膜の体積あたりの光揮性顔料の数、すなわち光揮性顔料の含有量を反映すると考えられる。
【００８２】
（２−２）選択塗膜の観察像に基づいて、視認できる光揮性顔料の単位面積あたりの数を把握する。
選択塗膜についても、視認できる光揮性顔料の単位面積あたりの数は、モニターに目盛付きで表示された対象塗膜の観察像に基づいて把握することができる。
【００８３】
（２−１）工程および（２−２）工程における光揮性顔料の単位面積あたりの数の把握の際には、上述の(i)〜(iv)に示すように、併存する着色顔料の光学特性が光揮性顔料の見え方に与える影響を考慮に入れることができる。
例えば、選択塗膜の着色顔料と対象塗膜の着色顔料とが異なる場合には、選択塗膜と対象塗膜との光学的条件が異なるため、光揮性顔料の見え方に影響が及ぶことが考えられるが、(i)〜(iv)に示すような影響を考慮に入れれば、光学的条件の差異による光揮性顔料の見え方の違いを適切に補正することができる。
【００８４】
（２−３）対象塗膜の光揮性顔料の含有量を推定する。
対象塗膜において視認できる光揮性顔料の単位面積あたりの数と、選択塗膜において視認できる光揮性顔料の単位面積あたりの数との比を算出する。
選択塗膜における光揮性顔料の含有量（濃度）は既知であるため、対象塗膜と選択塗膜との光揮性顔料の数の比に基づいて、対象塗膜における光揮性顔料の含有量を算出できる。
【００８５】
光揮性顔料が複数種類用いられている場合には、同様の手法により、それぞれについて含有量を推定する。
【００８６】
上述のように、塗膜１２ａ〜１２ｄがスプレー塗布法により形成されていること、および色票３の塗膜１２ａ〜１２ｄの厚さが実用塗膜の厚さに近いことは、塗膜１２ａ〜１２ｄを近い条件下で対象塗膜と比較するうえで有利となる。よって、光揮性顔料の含有量の推定の精度を高めることができる。
【００８７】
（３）着色顔料の推定（第３工程）
目視による色票３と対象塗膜との比較により、対象塗膜の着色顔料の種類を推定する。
色票３の色彩と、対象塗膜の色彩とが同一または類似と判断された場合には、その色票３を選択する。
色票３で用いられている着色顔料は既知であるため、その着色顔料に基づいて、対象塗膜の着色顔料の種類を推定することができる。
【００８８】
（４）塗膜の形成（第４工程）
上述のように、第１工程により対象塗膜の光揮性顔料の種類が同定され、第２工程により対象塗膜の光揮性顔料の含有量が推定され、第３工程により対象塗膜の着色顔料が推定された。
第３工程で推定された着色顔料を含む塗料を用意し、この塗料に、第１工程で同定された光揮性顔料を、第２工程で推定された量だけ秤量して添加、撹拌し、十分に分散させる。
【００８９】
得られた塗料を、色票３に用いられているものと同じ支持体１１（例えば白黒隠蔽紙）にスプレー塗布法により塗布し、乾燥させて塗膜とする。
この塗膜を、光学顕微鏡による観察等により対象塗膜と比較することによって、対象塗膜の塗色を再現できたか否かを確認することができる。
【００９０】
色見本帳１０では、色票３の塗膜１２ａ〜１２ｄは、スプレー塗布法により形成されている。通常、自動車車体などに用いられている実用塗膜はスプレー塗布法により形成されているため、対象塗膜もスプレー塗布法により形成されていることが多い。そのため、色票３の塗膜１２ａ〜１２ｄの光揮性顔料の状態（配向状態など）は、対象塗膜の光揮性顔料の状態に近くなる。よって、色票３の塗膜１２ａ〜１２ｄと対象塗膜とを比較しやすくし、光揮性顔料の種類の同定および含有量の推定の精度を高めることができる。したがって、配合未知の対象塗膜の塗色の正確な再現を図ることができる。
また、色票３の塗膜１２ａ〜１２ｄの厚さは、実用塗膜の厚さに近い（例えば５〜３０μｍ）。対象塗膜は実用塗膜に近い特性を有することが多いため、塗膜１２ａ〜１２ｄを、光学的に近い条件下で対象塗膜と比較することができる。よって、光揮性顔料の種類の同定および含有量の推定の精度を高めることができる。
【００９１】
色票３は、着色顔料が異なる複数の塗膜１２ａ〜１２ｄを有するため、（１−３）工程において、光学的な条件が対象塗膜に近い塗膜を４つの塗膜１２ａ〜１２ｄから選択したうえで光揮性顔料の比較を行うことができる。よって、正確な光揮性顔料の種類の同定および含有量の推定が可能となる。したがって、正確な塗色の再現を図ることができる。
【００９２】
色見本帳１０では、色票３を保持部２に出し入れ可能であるため、（１−２）工程などにおいて対象塗膜との比較のために色票３をシート基材１から取り出しまたは戻す作業を効率よく行うことができる。よって、塗料の調色作業の効率を高めることができる。
【００９３】
色見本帳１０は、色票３を保持部２に出し入れ可能であるため、台紙に複数の色票を固定した構造の従来の色見本帳に比べ、色票３の追加および削除が容易である。そのため、情報の更新が滞るのを回避できる。例えば、新たな塗料が開発されれば直ちにその情報を色見本帳１０に追加できる。また、製造中止となることなどにより不要となった塗料に関する情報を直ちに削除できる。
よって、色見本帳１０では、最新の情報を反映させ、色見本帳としての実効性を高めることができる。
【００９４】
また、色見本帳１０では、色票３を保持部２に出し入れ自在であるため、色票３を交換することによって、その色票３に関する情報表示（例えば上部表示部１３および側部表示部１４に記載される情報の表示）も容易に交換できる。
【００９５】
色見本帳１０では、着色顔料が異なる複数の塗膜１２ａ〜１２ｄを有する色票３を用いるため、通常は使われない着色顔料と光揮性顔料との組み合わせの効果を確認できるという利点もある。
例えば、青発色系の光揮性顔料は、青の着色顔料とともに用いられることが多く、赤の着色顔料とともに用いられることは少ない。また、通常、彩度を高めるために用いられる着色タイプの光揮性顔料は、黒の着色顔料と用いられることは少ない。
しかし、色見本帳１０を用いれば、青発色系の光揮性顔料が赤の着色顔料とともに用いられた場合の効果、および着色タイプの光揮性顔料が黒の着色顔料とともに用いられた場合の効果、などを確認できる。そのため、光揮性顔料を含む塗料の開発に際して多様な選択肢を開発者に提供し、色表現の可能性を広げることができる。
【００９６】
本実施形態の塗料の調色方法では、上述のように、色見本帳１０を用いることによって、光揮性顔料の種類の同定および含有量の推定の精度を高めることができるため、配合未知の塗膜の塗色の再現を正確に行うことができる。
【００９７】
また、塗料の調色においては、光揮性顔料の種類の同定を誤ると、着色顔料をいくら調整しても正確な色再現は難しくなるため、光揮性顔料の種類の同定をやり直すことになり不効率となる場合がある。これに対し、本実施形態の塗料の調色方法によれば、上述のとおり、初期の工程（第１工程）で精度の高い光揮性顔料の種類の同定が可能であるため、前述のような作業のやり直しを回避し、効率のよい塗料の調色が可能である。
【００９８】
本実施形態の塗料の調色方法は、上述のように、色見本帳１０を用いることによって、（１−２）工程などにおいて対象塗膜と色票３との比較検討の作業を効率よく行うことができるため、より多くの光揮性顔料を候補として挙げることができる。そのため、複数の候補のなかから、他の付随的な事情を加味した判断により光揮性顔料を選定することもできる。
例えば、対象塗膜の光揮性顔料との適合性が十分に高い２つの色票３を候補として挙げることができれば、それらのうちコスト面で有利な色票３を選択することができる。これによって、精度の高い色再現だけでなく、低コスト化を図ることもできる。
【００９９】
［色見本帳の他の例］
図４は、色見本帳の他の例の一部を模式的に示す斜視図である。図５は、この色見本帳の保持部２および色票３を示す平面図である。
ここに示す色見本帳は、保持部２の表面に表示１６が設けられている点で、図１に示す色見本帳１０と異なる。
表示１６には、この表示１６が設けられる保持部２に保持される色票３の塗膜１２ａ〜１２ｄに関する情報が記載されている。表示１６に記載される情報は、特に限定されないが、例えば、塗膜１２ａ〜１２ｄに用いられている光揮性顔料、着色顔料等に関する情報などを挙げることができる。
光揮性顔料に関する情報としては、具体的には、光揮性顔料の名称、光揮性顔料の顕微鏡写真、基材の種類、発色タイプ、平均粒径、製造元、商品名などがある。着色顔料に関する情報としては、発色特性、製造元、商品名などがある。
【０１００】
塗膜１２ａ〜１２ｄに関する情報としては、米国Ｘ−Ｒｉｔｅ社の多角度分光測色計ＭＡ６８ＩＩ（４５°入射、１５、２５、４５、７５、１１０°受光）で分光反射率を測定して得られた測色値であるＬａｂ値を挙げることができる。この測色値は、データベース化することもできる。
このような測色値を記録しておけば、比較の対象となる塗膜が手元にない場合でも、ある程度の比較検討が可能となる。例えば、色票３と比較するべきサンプルが海外にあって取り寄せが難しい場合でも、そのサンプルの測色値があれば、ある程度の比較検討は可能である。
【０１０１】
図５に示す表示１６は、光揮性顔料の名称等を記載する欄１７と、光揮性顔料の顕微鏡写真を表示する欄１８と、基材の種類、発色タイプ、平均粒径、製造元、商品名などを記載する欄１９と、備考欄２０とを有する。備考欄２０には、光揮性顔料の種類を同定するうえで有用な情報、例えば形状、色彩などに関する特徴的な事項を記載することができる。
表示１６は、紙などの支持体に印刷などにより形成し、その支持体を接着などにより保持部２の表面（保持シート５の表面）に貼り付けることなどにより設けることができる。なお、表示１６は、保持シート５の表面に、印刷などにより直接、形成してもよい。
【０１０２】
表示１６を設けることによって、この表示１６が設けられる保持部２に保持される色票３の塗膜１２ａ〜１２ｄの光揮性顔料の形態などの情報を迅速に把握することができる。よって、例えば（１−２）工程において色票３を選択する作業の効率を高めることができる。
【０１０３】
［色票の他の例］
図６（Ａ）は、色票の他の例である色票２３の前面を示す平面図であり、図６（Ｂ）は、色票２３の後面を示す平面図である。
色票２３では、塗膜１２ａ〜１２ｄが形成された支持体１１の前面１１ｅとは反対の面、すなわち後面１１ｆに表示１６が設けられている。
【０１０４】
色票２３は、表示１６が設けられているため、塗膜１２ａ〜１２ｄの情報を容易に確認することができる。色票２３は、保持部２から取り出した後に情報を確認するのが容易となる点で有用である。
【０１０５】
図７（Ａ）は、色票の他の例である色票３３の前面を示す平面図であり、図７（Ｂ）は、色票３３の後面を示す平面図である。
色票３３は、支持体１１の後面１１ｆに、塗膜１２ａ〜１２ｄに関する情報を格納した記録媒体２１が設けられている。
記録媒体２１としては、非接触で情報の読み取り、書き込みが可能な非接触型の情報記録媒体が好ましい。記録媒体２１としては、メモリとして機能するＩＣチップと無線信号を送受信するアンテナ部とが一体化された、いわゆるＩＣタグを用いることができる。記録媒体２１としては、磁気記録媒体、バーコードなどを用いてもよい。
【０１０６】
色票３３は、記録媒体２１が設けられているため、塗膜１２ａ〜１２ｄに関する情報の管理が容易となる。
【０１０７】
なお、色票３３における記録媒体２１の設置位置は支持体１１の後面１１ｆに限らない。例えば、記録媒体２１を支持体１１の前面１１ｅに設けてもよいし、支持体１１に内蔵することもできる。記録媒体２１は、色見本帳（例えば保持部）に設けてもよい。
【０１０８】
［学習用教材］
色見本帳１０は、塗料の調色方法の学習用教材に適用することもできる。以下、本発明の学習用教材の一実施形態について説明する。
図８に示すように、本実施形態の学習用教材は、塗料の調色方法を利用者に習得させるための学習用教材であって、図１に示す色見本帳１０と、１または複数の対象色票２２とを備えている。
対象色票２２は、例えば、支持体１１の表面に対象塗膜２２ａを有する。対象塗膜２２ａは、光揮性顔料を含む塗料によって形成された塗膜であって、スプレー塗布法により形成することができる。対象塗膜２２ａの厚さは、実用塗膜の厚さに近い（例えば５〜３０μｍ）ことが望ましい。
【０１０９】
この学習用教材によれば、対象塗膜２２ａの塗色を再現するための、上述の方法による塗料の調色を利用者に体験させ、その過程を通して、調色方法を利用者に習得させることができる。
これにより、利用者は、調色の手順を習得できるだけでなく、材料（光揮性顔料、着色顔料など）と、それによって得られる塗膜の色との関係を把握することができる。
【０１１０】
この学習用教材は、色見本帳１０を用いることから、上述のように、塗料の調色の作業を効率的に行うことができる。よって、調色方法を利用者に短時間で習得させることができる。
また、色見本帳１０を用いるため、手順等に誤りがなければ対象色票２０の塗色の正確な再現が可能となる。そのため、塗料の調色が成功したか否かを利用者が確認しやすくなる。よって、成果を見えやすくして利用者の学習意欲を刺激し、学習効果を高めることができる。
さらに、この学習用教材は、色見本帳１０と対象色票２０とを備えた簡単な構成であるため、教育現場における教材準備の手間および費用を低く抑えることができる。よって、利用者に簡便に学習機会を提供することができる。
この学習用教材は、企業等において社員教育（従業員教育）に用いることもできるし、生徒、児童、学生を対象として学校教育に用いることもできる。
【０１１１】
［変形例］
本発明は上述の実施形態に限定されるものではなく、本発明の要旨を逸脱しない範囲で改変が可能である。
図１に示す色見本帳１０は、色票３を保持するポケット状の保持部２を有するが、保持部の構造はこれに限定されない。保持部は、色票を着脱自在に保持できればよく、例えば色票は、シート基材に着脱自在に接着可能であってもよい。
色見本帳１０は、複数のシート基材１を有するが、色見本帳全体での保持部の数が複数であれば、シート基材の数は１でもよい。また、色見本帳１０ではシート基材１の一方の面に複数の保持部２が設けられているが、色見本帳全体での保持部の数が複数であれば、シート基材の一面における保持部の数は１であってもよい。
また、１つの保持部に保持できる色票の数は１に限らず、複数であってもよい。
【符号の説明】
【０１１２】
１…シート基材
２…保持部
３…色票
４…基材本体
５…保持シート
１０…色見本帳
１１…支持体
１１ａ〜１１ｄ…塗膜形成領域
１２ａ〜１２ｄ…塗膜
１５ａ…白素地部分（白色の素地部分）
１５ｂ…黒素地部分（黒色の素地部分）
１６…表示
２１…記録媒体
２２…対象色票
２２ａ…対象塗膜
【図２】
2016191783.tif 000003
【図７】
2016191783.tif 000004
【図１】
2016191783.tif 000005
【図３】
2016191783.tif 000006
【図４】
2016191783.tif 000007
【図５】
2016191783.tif 000008
【図６】
2016191783.tif 000009
【図８】
2016191783.tif 000010